(57)【特許請求の範囲】
【請求項１】
胴部（１）と、
裏蓋（２）と、
ムーブメント（３、３−２、３−３、３−４、４１）と、
前記胴部（１）と接触しているケーシングリング（４、４−２、４−３、４２）と
を備えるリジッドケーシング方式の腕時計であって、
前記ケーシングリング（４、４−２、４−３、４２）は、少なくとも１つのゾーンＺを含む内周面（８、１７）を有し、前記ゾーンＺの接線（Ｔ）は、前記ムーブメント（３、３−２、３−３、３−４、４１）の中心を通り、前記ムーブメントにより形成される面に対し直角な軸（Ｘ）に対してゼロではない９０°未満の角度（α）を形成し、
前記ムーブメント（３、３−２、３−３、３−４、４１）は、少なくとも１つのゾーンＺ’を含む外周面（７、１３、１８、１８−２）を有し、前記外周面が固設され、前記ゾーンＺ’の接線（Ｔ’）は前記軸（Ｘ）に対しゼロではない９０°未満の角度（α’）を形成し、
前記ケーシングリングの前記内周面（８、１７）および前記ムーブメントの前記外周面（７、１３、１８、１８−２）がゾーンＺおよびＺ’において相互に接触する、腕時計において、
前記ケーシングリング（４、４−２、４−３、４２）を押圧する締め付け要素（５、５−２）をさらに備え、前記締め付け要素（５、５−２）の押圧により前記接触を介して前記ムーブメント（３、３−２、３−３、３−４、４１）の半径方向および軸方向の双方に圧力を加えることを特徴とする腕時計。
【請求項２】
前記角度（α）および（α’）が実質的に同一である請求項１に記載の腕時計。
【請求項３】
前記角度（α）および（α’）が５°から４５°の間に含まれる請求項１または２に記載の腕時計。
【請求項４】
前記ケーシングリング（４、４−２、４−３、４２）がスリット（６）を有する請求項１から３のいずれか一項に記載の腕時計。
【請求項５】
前記ムーブメント（３−２、３−３）に固設され、前記外周面（１３、１８）が存在する補助ケーシングリング（１２、１２−２、１２−３、２７、３５）をさらに備える請求項１から４のいずれか一項に記載の腕時計。
【請求項６】
前記補助ケーシングリング（１２、１２−２、１２−３、２７、３５）がスリットを有する請求項５に記載の腕時計。
【請求項７】
前記ケーシングリング（４）の内周面（８）が円錐台形である請求項１から６のいずれか一項に記載の腕時計。
【請求項８】
前記ケーシングリング（４−２、４−３、４２）の内周面（１７）が円形であるか内側へ湾曲している請求項１から６のいずれか一項に記載の腕時計。
【請求項９】
前記ムーブメント（３、３−２）に固設される前記外周面（７、１３）が円錐台形である請求項１から７のいずれか一項に記載の腕時計。
【請求項１０】
前記ムーブメント（３−３、４１）に固設される前記外周面（１８、１８−２）が円形であるか内側へ湾曲している請求項１から７のいずれか一項に記載の腕時計。
【請求項１１】
前記ケーシングリング（４−３）および前記補助ケーシングリング（１２−３）が円環形形状を有する請求項５または６に記載の腕時計。
【請求項１２】
前記締め付け要素（５、５−２）が雄ねじリングまたは雌ねじリングの形状である請求項１から１１のいずれか一項に記載の腕時計。
【請求項１３】
前記締め付け要素（５、５−２）と接触したねじ緩み防止シール（３３）をさらに備える請求項１２に記載の腕時計。
【請求項１４】
カバーがなく、前記ムーブメント（３、３−２、３−３、４１）が前記胴部（１）と接触している請求項１から１３のいずれか一項に記載の腕時計。
【請求項１５】
カバー（１６）をさらに備え、前記ムーブメント（３−２）が前記カバー（１６）と接触している請求項１から１４のいずれか一項に記載の腕時計。
【請求項１６】
前記締め付け要素（５、５−２）が、前記ケーシングリング（４、４−２、４−３、４２）に圧力を加えるようになされる請求項１から１５のいずれか一項に記載の腕時計。
【請求項１７】
前記角αおよびα’の頂点が腕時計の前記裏蓋（２）の側に位置する請求項１６に記載の腕時計。
【請求項１８】
前記締め付け要素（５）の反対側の前記ムーブメント（３−４）の側にストッパー（９’）を更に含むことを特徴とする、請求項１から１７のいずれか一項に記載の腕時計。
【請求項１９】
前記角（α）および（α’）の頂点が腕時計の前記裏蓋（２）とは反対の側に位置する請求項１８に記載の腕時計。
【請求項２０】
外部リップ（３２）を有する自動巻モジュールマスを備え、前記補助ケーシングリング（２７）が溝（２９）を含み、前記溝（２９）の半径方向面（３０、１１）は、前記自動巻モジュールマスの前記外部リップ（３２）に対するストッパーの役割を果たす請求項５に記載の、または請求項５を引用する請求項６および１１のいずれか一項に記載の腕時計。
【請求項２１】
前記ムーブメントまたは前記ケーシングリングが、ストッパーに対して押圧される、請求項１から２０のいずれか一項に記載の腕時計。
【請求項２２】
胴部（１）内で
ａ）  前記胴部（１）に前記ムーブメント（３、３−２、３−３、４１）を挿入するステップと、
ｂ）  前記ケーシングリング（４、４−２、４−３、４２）を前記ムーブメント（３、３−２、３−３、４１、３−４）の周囲に設置するステップと
を含み、
前記ケーシングリング（４、４−２、４−３、４２）または前記ムーブメント（３−４）に圧力を加えるようになされた締め付け要素（５、５−２、５−３）を設置するステップをさらに含むことを特徴とする請求項１から２０のいずれか一項に記載の腕時計のムーブメントのケーシング方法。
【請求項２３】
ステップａ）とｂ）の間に
ａ’）  補助ケーシングリング（１２、１２−２、１２−３、２７、３５）を前記ムーブメント（３−２、３−３
）の周囲に設置するステップ
をさらに含む請求項２２に記載の腕時計のムーブメントのケーシング方法。
【発明の詳細な説明】
【技術分野】
【０００１】
本発明は、リジッドケーシング方式の腕時計、およびそのような腕時計のケーシング方法に関する。
【背景技術】
【０００２】
ムーブメントのケーシング、すなわち腕時計のケースへのムーブメントの固定は通常、ムーブメントにねじ締めされ、ケースの内周面に設けた切込みに挿入されるフランジを使用するか、ケーシングサークルを使用することにより行われる。
【０００３】
特許文献１においては、ムーブメントが間に保持された２つの重なりケーシングサークルを使用してケーシングを行うことが提案されている。これらのサークル自体も腕時計の胴部の一部分と同腕時計の裏蓋の間に圧縮される。サークルのうちの一方は竜頭を通すための通路を具備する。この第２のサークル、つまりはムーブメントを軸方向および半径方向において保持するために円環形シールが設けられる。
【０００４】
本出願人の研究など様々な研究により、ケーシングについてのこれらの解決方法は、ケースの衝撃をムーブメントに伝達するだけでなく衝撃を増幅することが示されている。したがって、１００００ｇの衝撃が入力される腕時計にケーシングされたムーブメントは２５０００ｇの衝撃、すなわち２．５倍増幅された衝撃を受ける。
【０００５】
エラストマー製リングなどのショックアブソーバーをケースとムーブメントの間に挿入することは１つの解決方法になり得るが、それには、ケース内に使用可能な大きな体積を有することが必要となる。
【先行技術文献】
【特許文献】
【０００６】
【特許文献１】欧州特許出願第１９７０７７９号
【発明の概要】
【発明が解決しようとする課題】
【０００７】
本発明は、向上した衝撃強度を有する腕時計を提供することを主な目的とする。
【０００８】
驚くことに、ショックアブソーバーを使用してケーシングを柔軟化するよりも、硬化させることによって、非常に良好な結果が得られることがわかった。
【課題を解決するための手段】
【０００９】
したがって本発明は、
胴部と、
裏蓋と、
ムーブメントと、
胴部と接触しているケーシングリングと
を備えるリジッドケーシング方式の腕時計であって、
ケーシングリングは、少なくとも１つのゾーンＺを含む内周面を有し、ゾーンＺの接線Ｔが、腕時計の主軸、すなわちムーブメントの中心を通る、ムーブメントにより形成される面に対し直角な軸Ｘに対してゼロではない９０°未満の角度αを形成し、
ムーブメントは、少なくとも１つのゾーンＺ’を含む外周面を有し、ムーブメントは外周面が固設され、ゾーンＺ’の接線Ｔ’が前記軸Ｘに対しゼロではない９０°未満の角度α’を形成し、
前記内周面および前記外周面がゾーンＺおよびＺ’において相互に接触する、腕時計において、
ケーシングリングまたはムーブメントに圧力を加えるようになされた締め付け要素をさらに備えることを特徴とする腕時計を対象とする。
【００１０】
そのようなケーシングは、半径方向圧力および軸方向圧力の双方をムーブメントに加える、すなわちそのようなケーシングは、軸方向（ムーブメントの中心を通る軸に平行であってムーブメントに対し直角であり裏蓋をガラスに接続する方向）への締め付けと半径方向締め付けとを併用しているという特徴を有する。
【００１１】
したがってケーシングの剛性が増加し、それにより特に以下のような長所がもたらされる：
たとえば硬質表面への衝撃時、ムーブメントが受ける加速度が、従来のフランジ式ケーシングと比較して劇的に、すなわち６０％減少する。
衝撃時のムーブメントと胴部の間の衝突のリスクがなくなる。
大きな衝撃の結果破損するケーシング要素（ねじ、フランジねじ、フランジ）が不要になる。
ケーシングの信頼性が向上する。
【００１２】
腕時計の衝撃強度を向上させることをねらいとする現在の試みは、たとえば胴部ムーブメント結合部に弾性を付与し、衝撃エネルギーを吸収するためにポリマーを使用するというように完全に対立する概念に向いているため、そのような解決方法は全く意外なものである。
【００１３】
また本発明は、本発明による腕時計のケーシング方法も対象とする。
【００１４】
この方法は、
ａ）  胴部にムーブメントを挿入するステップと、
ａ’）  適切な場合には、補助ケーシングリングをムーブメントの周囲に設置するステップと、
ｂ）  ケーシングリングをムーブメントの周囲に設置するステップと、
ｃ）  適切な場合には、締め付け要素を設置するステップと
を含む。
【００１５】
以下、種々の実施形態についての説明において本発明のその他の特徴および長所を詳細に説明するが、特徴は、当然のことながら技術的に適合しない場合は除き、組み合わせることができる。
【００１６】
これらの実施形態は略図である以下の添付の図面に基づいている。
【図面の簡単な説明】
【００１７】
【図１】本発明の第１実施形態を示す断面図である。
【図２】本発明の第１実施形態において用いられるスリット付きケーシングリングの詳細図である。
【図３】本発明の第２実施形態を示す断面図である。
【図４】本発明の第３実施形態を示す断面図である。
【図５（ａ）】図４の実施形態をより完全に示す断面図である。
【図５（ｂ）】図４および図５（ａ）の実施形態の分解斜視図である。
【図６】本発明の第４実施形態を示す断面図である。
【図７】本発明の第５実施形態を示す断面図である。
【図８】本発明の第６実施形態を示す断面図である。
【図９】本発明の第７実施形態を示す断面図である。
【図１０】本発明の第８実施形態を示す断面図である。
【図１１】図１０の実施形態の締め付け要素がない変形形態を示す断面図である。
【図１２】図１の実施形態の変形形態を示す断面図である。
【図１３】図４の実施形態の変形形態を示す断面図である。
【図１４】図１４（ａ）、図１４（ｂ）、図１４（ｃ）はそれぞれ、図１の実施形態の他の変形形態を示す断面図である。
【図１５】本発明の第９実施形態を示す断面図である。
【図１６】本発明の第９実施形態の詳細を示す断面図である。
【図１７】本発明の第１０実施形態を示す断面図である。
【図１８】本発明の第１０実施形態において用いられるスリット付き補助ケーシングリングを示す図である。
【図１９】図１の実施形態の変形形態を示す断面図である。
【図２０】図１の実施形態の別の変形形態を示す断面図である。
【発明を実施するための形態】
【００１８】
図１は本発明によるリジッドケーシング腕時計の第１実施形態の部分図である。
【００１９】
この腕時計は、胴部１、取り外し可能な裏蓋２、ムーブメント３、ケーシングリング４および締め付け要素５を備える。
【００２０】
一般的に、ムーブメントのケーシングリング４は、通常０．１ＧＰａ以上、好ましくは５０ＧＰａ以上のヤング率を有する硬質非エラストマー材で構成される。
【００２１】
図２は同リングのより詳細な図である。このリングは、その円周を分断するスリット６を含むのが好ましい。スリット６によりリングの弾性変形を向上させることが可能になり、スリット６に沿う自由端は相互に接近することができ、その結果、リングの内径が減少する。さらにスリット６により竜頭などの時計部品を通すことができる。ケーシングリング４は円錐台形内周面８も含む。
【００２２】
本説明において「内面」とは、リングの中心、したがってムーブメントの中心に向いた面を意味する。
【００２３】
図１で一部分が見えるムーブメント３は、スリット付きケーシングリング４の円錐台形内周面８と接触するようになっている外周面７を含む。
【００２４】
本説明において「外面」とは、リングの中心とは反対側、すなわち腕時計の中心とは反対側の面を意味する。
【００２５】
図１において、締め付け要素５は、スリット付きケーシング４を押圧するリングであって、胴部１の軸方向内面１１上に加工された適当な雌ねじと協動する雄ねじを外周面に具備するリングの形態を有する。
【００２６】
胴部１は、半径方向において中心側に向かって突出する部分９を含む。ムーブメント３は、ストッパーの役割を果たす部分９の内面１０と接触する。
【００２７】
図１の断面図により、ケーシングリング４の内周面８の直線輪郭の接線Ｔ（母線）が、腕時計の主軸、すなわちムーブメント３の中心を通る、ムーブメントにより形成される面に対し直角な長手方向軸Ｘ、に対してゼロではない角度αを形成することがわかる。
【００２８】
図１において、角度αの開口部は腕時計の裏蓋２とは反対側にある、すなわちその頂点は、胴部１の部分９の近傍にあるとされる（図示しない）カバーまたは文字盤側ではなく、腕時計の裏蓋２側に位置する。
【００２９】
ムーブメント３はその外周面７が固設される。図１の実施形態においては、外周面７は、ムーブメント３自体の上、たとえば地板上に直接設けられる。
【００３０】
この外周面７の直線輪郭の接線Ｔ’は軸Ｘに対し角度α’を形成する。
【００３１】
システムが確実に良好に作動するようにするために、ケーシングリングの内周面８およびムーブメントの外周面７は、軸Ｘに対してほぼ同一な角αおよびα’を形成して、相互に接触している。したがって接線ＴおよびＴ’は、ほぼ一致する。
【００３２】
図１９でわかるように、変形形態では、外周面７および内周面８の傾斜を反転することが可能であり、すると角度αおよびα’は裏蓋２側に開口する。その結果、組み付け／ケーシングは文字盤側を介して行うことができ、フランジは締め付け要素５の役割を果たすことができる。この場合、締め付け要素とは反対のムーブメントの側にストッパー９’を設けなければならないが、このストッパーは裏蓋で形成することもできる。
【００３３】
図２０に示す別の代替法は締め付け要素５をムーブメント３−４と協動させるというものであり、その場合、締め付け要素の移動はムーブメントに直接適用される。別の追加の変形形態は、たとえば、円錐台形の輪郭を有する胴部の内周面を作製することにより、ケーシングリングを胴部に直接固設するというものである。
【００３４】
通常、角度αおよびα’は少なくとも５°である。そうしない場合、取り外しの際、摩擦および固着のため、ムーブメントを取り出すことが困難である。
【００３５】
これら角度は最大でも４５°以下である。そうしない場合、半径方向の弱い締め付け力を発生させるのに垂直方向に大きく変位させなければならないため、軸方向締め付けの効果が減少する。
【００３６】
好ましくは、角度αおよびα’は、１５°から２５°の間に含まれる。
【００３７】
図１を参照することにより容易に理解できるように、雄ねじリング５を適切な方向に回転させることにより、図の上方へすなわちリング４側への雄ねじリングの移動が生じる。するとリング４は上方に移動し、胴部の部分９の内面１０に接近する。
【００３８】
リング４をこのように締めることにより、ケーシングリング４とムーブメント３との合同円錐台形状の協動により２つの作用が生じる。１つは、リングにスリット６が存在することにより容易になるムーブメント３の半径方向圧縮であり、もう１つは、ムーブメントを胴部１の突起部すなわちストッパー９に押圧するムーブメント３の軸方向圧縮である。
【００３９】
本発明の第２実施形態を図３に示す。
【００４０】
この実施形態においても、ムーブメント３−２は常に円錐台形外周面１３が固設されている。しかしながらこの固設では、ムーブメント３−２そのものの上に円錐台形外周面が存在するかたちとはならず、ムーブメント３−２に固設された補助ケーシングリング１２が間置されるかたちとなる。
【００４１】
一般的に、このムーブメントの補助ケーシングリング１２は、通常０．１ＧＰａ以上、好ましくは５０ＧＰａ以上のヤング率を有する硬質非エラストマー材で構成される。
【００４２】
補助ケーシングリング１２の円周は、スリット（図３には図示されていないが、図１８には図示）により分断されるのが好ましい。
【００４３】
補助ケーシングリング１２のスリットが、ケーシングリング４のスリット６と一列になるよう方向が決められ、２つのスリットにより竜頭用の通路が形成されるようになるのが好ましい。
【００４４】
さらに、この実施形態においては、ムーブメント３−２は、補助ケーシングリング１２の内周面上に設けたショルダー１４に制止されるようになされたショルダー１５をその周囲に有する。
【００４５】
したがって雄ねじリング５は、ねじ込まれるとケーシングリング４を押圧し、ケーシングリング４は補助ケーシングリング１２を腕時計の中心側に押す。補助ケーシングリング１２とムーブメント３−２の外周の間の軸方向接触により、ムーブメント３−２はその全周において中心側に圧縮される。
【００４６】
さらに、雄ねじリング５をねじ締めすることにより図の上方へのケーシングリング４および１２の移動が生じ、補助ケーシングリング１２のショルダー１４とムーブメント３−２のショルダー１５の間の接触により、ムーブメント３−２は、ストッパーとして作用する胴部１の部分９の内面１０に対し圧縮される。
【００４７】
本発明の第３実施形態を図４に示す。この実施形態と第２実施形態の唯一の違いは、ムーブメント３−２と胴部１の部分９の間にカバー１６が配置されていることである。したがってカバー１６はムーブメントのストッパーを形成する。
【００４８】
このカバー１６は、カバー１６の回転を防止するために胴部１内に設けられたノッチに係合するスタッド（図示せず）を含むのが好ましい。ムーブメント３−２はカバーにねじ締めされるので、スタッドは胴部１に対するこのムーブメントの向きも保証する。
【００４９】
図５（ａ）は図４に記載の腕時計のより詳細な図である。カバー１６はたとえば、文字盤、ムーブメントに対する磁場の影響を軽減するためのスクリーン、またはカレンダーサークルとすることができる。図５（ａ）はまた、裏蓋２と雄ねじリング５の間に間置された円環形シール３３も示しており、この円環形シールにより雄ねじリングの緩みを防止することができる。
【００５０】
図５（ｂ）は図５（ａ）に記載の腕時計の分解斜視図である。
【００５１】
図６は本発明の第４実施形態を示す図である。
【００５２】
ここでは本発明の概念が別の形態で具体的に示されており、たとえば図１、図３、図４および図５の実施形態による上下が互い違いに結合された２つの円錐形状間の協動は、相互に相手方に向けられかつ相互に接触している２つの円形部分間の協動に置き換えられている。
【００５３】
この２つの円形部分は内周面および外周面を構成する。これらの部分は、円弧、楕円の弧、あるいは当業者が適切であると判断した別の任意の曲線、の形状とすることができる。
【００５４】
したがって図６でわかるように、ケーシングリング４−２は、ほぼ１／４円盤形を成す２つの部分１７で形成される軸方向断面を有するが、この部分のうち図示されているのは一方だけであり、他方は軸Ｘを基準とする対称により想像することができる。
【００５５】
補助ケーシングリング１２−２は、ケーシングリング４−２とほぼ同じ形状を有することが可能であり、その円形部分１８にてケーシングリング４−２の円形部分１７と接触している。
【００５６】
この実施形態においてはリング４−２および１２−２はスリットを有する。両者のリングが同じ内径を有するよう設計することができ、リングがスリットを有しているため、同じ内径であっても協動を妨げるものではないが、リング４−２の内径はリング１２−２の内径よりも大きいことが好ましい。
【００５７】
リング４−２は、雄ねじリング５と胴部１の軸方向内面１１によって形成されたコーナー内に配置される。リング４−２の２つの非円形面２２および２３はそれぞれ雄ねじリング５、胴部１の軸方向内面１１に載架する。
【００５８】
リング１２−２はムーブメント３−３のコーナー内に配置されるが、このコーナーはショルダー１５−２および軸方向外周面２１によって形成される。リング１２−２の２つの非円形面１９および２０はそれぞれムーブメント３−３のショルダー１５−２、ムーブメント３−３の軸方向周面２１に載架する。
【００５９】
リング４−２および１２−２は軸Ｘに沿って相互に偏移している。雄ねじリング５を締め付ける際、このリングは矢印Ｆに従って変位し、リング４−２を同じく矢印Ｆの方向に押す。するとリング４−２の円形部分１７はリング１２−２の円形部分１８上を滑動し、このリング１２−２を中心側および胴部１の部分９側に同時に移動させる。補助リングの円形部分は、図１の実施形態と同様な方法でムーブメントの地板に直接組み込むこともできる。
【００６０】
図７は図６の実施形態の簡易な変形形態である第５実施形態を示す図である。この図では、リング４−３および１２−３は図６のリング４−２および１２−２とそれぞれ同じ役割を果たすが、これらのリングは完全に円形であり、すなわち円環形を有する。
【００６１】
図８は本発明の第６実施形態を示す図である。この実施形態は図３の実施形態と比較して２つの大きな違いを有する。すなわち補助ケーシングリング１２−３が、軸方向外周面２４がねじ切りされている軸方向延長部を含むことである。締め付け要素はここでもねじ切り部があるリング５−２であるが、こんどは内側にねじ切り部がある。したがってこれはリング１２−３のねじ切り部と協動する雌ねじである。したがってもはや胴部１の内面１１に雌ねじ加工を施す必要がない。
【００６２】
ムーブメント３−２と胴部１の突出部９の間にはカバー１６（たとえば文字盤またはスクリーン）が間置される。
【００６３】
ここでは、リング４が矢印Ｆの方向に移動するようにするためには、ねじ切りリング５−２をねじ込まなければならない。リングにより半径方向の締め付けが確保され、ムーブメントとリングの間の摩擦により軸方向締め付けが行われる。
【００６４】
図９は本発明の第７実施形態を示す図である。
【００６５】
この実施形態は図４の実施形態と比較して１つの大きな違いを有する。すなわちこの実施形態においては締め付け要素がばねなどの弾性要素５−３であり、腕時計のケースの裏蓋２に載架する。
【００６６】
図１０は本発明の第８実施形態を示す図である。
【００６７】
図３の実施形態に相似するこの実施形態においては、スリット付き補助ケーシングリング１２−４は、図３のリング１２のショルダーと同様のショルダー１４のほかに、補助ショルダー２５を含む。
【００６８】
したがってショルダー１４および補助ショルダー２５は溝を形成し、その中に、最も大きい直径を有するムーブメント３−２の部分２６が収納される。部分２６が締まりばめでこの溝に挿入され、その結果、雄ねじリング５がねじ込まれると、リング１２−４がムーブメント３−２を軸方向に固設駆動し、半径方向に固設圧縮する。軸方向締め付けはリング１２−４と部分２６の間の摩擦により行われる。ムーブメントは、スリット付きリングを変形させるか、バヨネット方式挿入システムを作製することにより、リングの溝に挿入することができる。
【００６９】
図１１は、裏蓋２が締め付け要素の役割を果たす、図１０の実施形態の締め付けリングがない変形形態を示す図である。類似する構成においては、外部リング４の外周にねじ切り加工を施し、締め付け要素として使用することが可能であろう。
【００７０】
図１２は、ムーブメント４１が湾曲外周面１８−２を有しケーシングリング４−３が円環形を有する図１の実施形態の変形形態を示す図である。
【００７１】
図１３は、円環形を有するケーシングリング４−３による図４の実施形態の変形形態を示す図である。
【００７２】
図１４（ａ）は、ムーブメント４１が湾曲外周面を有する、図１の実施形態の別の変形形態を示す図である。
【００７３】
図１４（ｂ）は、ケーシングリング４２が湾曲内周面を有する、図１の実施形態の別の変形形態を示す図である。
【００７４】
図１４（ｃ）は、ムーブメント４１およびケーシングリング４２がそれぞれ湾曲外周面、湾曲内周面を有する、図１の実施形態の別の変形形態を示す図である。
【００７５】
図１２、図１３、図１４（ａ）、図１４（ｂ）および図１４（ｃ）からわかるように、以下の特徴は常に共通である：
ケーシングリングは内周面を有し、軸Ｘに沿った長手方向断面図に見られるようにその少なくとも１つのゾーンＺ（図示せず）を含み、ゾーンＺの接線Ｔは軸Ｘに対してゼロではない角度αを形成する。
ムーブメント自体の上に、あるいはムーブメントに固設された補助ケーシングリング上に位置する外周面でムーブメントが固設され、軸Ｘに沿った長手方向断面図においてわかるように、この外周面が少なくとも１つのゾーンＺ’（図示せず）を含み、ゾーンＺ’の接線Ｔ’は軸Ｘに対しゼロではない角度α’を形成する。
内周面と外周面がゾーンＺおよびＺ’を介して相互に接触し、両ゾーンへの接線ＴおよびＴ’が一致する、すなわち接線が軸Ｘとの間で形成するそれぞれの角度αおよびα’が、理想的な場合には同一であるか、少なくとも相似している。
【００７６】
図１２、図１４（ａ）、図１４（ｂ）および図１４（ｃ）でわかるように、ゾーンＺおよびＺ’はほぼ点にまで減少することができるが、特に図１の実施形態においては、内周面および外周面のそれぞれの輪郭の全体に及ぶ。
【００７７】
別の言い方をすれば、図１２、図１４（ａ）、図１４（ｂ）および図１４（ｃ）の場合、角度αおよびα’は締め付け量ならびにゾーンＺおよびＺ’の位置に応じて変化する。さらにα’とは異なる角度αを形成する接線により、組み付け前に接触表面を設けることができるので、組み付けに万一変形があった場合、それを考慮することができる。
【００７８】
変形形態では、締め付け要素がケーシングリングのみにではなくムーブメントにも作用するようにすることもまた可能である。この場合、角度α、α’の向きを反転して、リングにより加えられる圧力がムーブメントの半径方向および軸方向締め付けを発生させるようにしなければならない。もちろん、種々の変形形態同士に適合性がある限り、これら変形形態を組み合わせることができる。
【００７９】
好ましい解決方法は、締め付け要素が働いてケーシングリングに圧力を加えるようにし、締め付け要素とは反対のムーブメントの側にストッパーを配置して、ムーブメントの半径方向および軸方向締め付けを発生させるようにすることである。
【００８０】
図１５および図１６は第９実施形態を示すが、これは図４の実施形態に近い。
【００８１】
補助ケーシングリング２７は、この場合、軸方向において文字盤とは反対側に位置する軸方向延長部２８を含み、その内周面の全周にわたり溝２９を具備する。
【００８２】
ここでは雄ねじリング５は、軸方向延長部２８を収納するのに充分な内径を有する。
【００８３】
図１６でよくわかるように、溝２９は、自動巻モジュールマスの外部リップ３２を受け入れ、衝撃時にその移動を制限する機能を有する。実際、溝２９の半径方向端面３０および３１はマスの外部リップ３２においてストッパーの役割を果たす。これはマスサポートの塑性変形を防止するという長所を有し、ブリッジ、地板および裏蓋２のマーキングのリスクを排除する。
【００８４】
雄ねじリングの緩みを防止するために、好ましくはねじ緩み防止シール３３（図５にも図示）が設けられる。
【００８５】
図１７は、図１０のカバーがない実施形態の変形形態である第１０実施形態を示す図である。
【００８６】
腕時計の部品点数を減らす目的のため、カバーの様々な機能（胴部との接続、ムーブメントのインデキシングおよび軸方向ストッパー）を有する（ｒｅｐｒｅｎｄｒｅ）補助ケーシングリング３５が準備される。
【００８７】
スリット付き補助ケーシングリング３５は図１８に図示されているが、図１７でのその位置から反転されている。
【００８８】
ムーブメントのインデキシングを行うためにスリット３７の周囲に脚３６が設けられる。変形形態では、脚は、胴部内に押し込まれ少なくともスリット付き補助ケーシングリング３５と協動するピンに置き換えることができる。
【００８９】
図１７に記載の穴３８は、文字盤を収納するため、雄ねじリング５とは反対側に設けられたものである。
【００９０】
組み付け中のこのリングの保持は切込み４０内に収納された固定ねじ３９により確保されるが、これらの固定ねじはいったんケーシングが行われると、ムーブメントの保持という能動的機能を持たなくなる。
【００９１】
したがってケーシングには、スリット付きケーシングリング４、スリット付き補助ケーシングリング３５、雄ねじリング５およびオプションとしてねじ緩み防止シール３３が含まれる。
【００９２】
ムーブメントの軸方向保持は軸方向締め付けおよび摩擦により確保される。
【００９３】
この変形形態により、かさが大きい部品であって厳しい美的制約を受ける部品であるカバー、ならびにカバーに接合する回転防止スタッドを廃止することができる。
【００９４】
ケーシング方法
本発明の第１実施形態による腕時計のムーブメントのケーシングは、特に、
ａ）  胴部にムーブメントを挿入するステップと、
ｂ）  必要な場合にはスリットを有するケーシングリングをムーブメントの周囲に設置するステップと、
ｃ）  適切な場合には、締め付け要素を設置するステップと
の連続するステップを含む。
【００９５】
変形形態においては、ステップａ）とｂ）を逆にすることができる。
【００９６】
他の実施形態による腕時計のムーブメントのケーシングは、ステップａ）とｂ）の間に、  ａ’）  必要な場合にはスリットを有する補助ケーシングリングをムーブメントの周囲に設置するステップをさらに含む。
【００９７】
溝２９により搖動マス用のストッパーが提供される図１５および図１６の実施形態の場合、本方法はさらに、搖動マスを溝２９に挿入するステップと、次いで搖動マスが周知のやり方でムーブメントに固設されるステップを含むことができる。
【図１】
0005992914.tif 000002
【図２】
0005992914.tif 000003
【図３】
0005992914.tif 000004
【図４】
0005992914.tif 000005
【図５（ａ）】
0005992914.tif 000006
【図５（ｂ）】
0005992914.tif 000007
【図６】
0005992914.tif 000008
【図７】
0005992914.tif 000009
【図８】
0005992914.tif 000010
【図９】
0005992914.tif 000011
【図１０】
0005992914.tif 000012
【図１１】
0005992914.tif 000013
【図１２】
0005992914.tif 000014
【図１３】
0005992914.tif 000015
【図１４】
0005992914.tif 000016
【図１５】
0005992914.tif 000017
【図１６】
0005992914.tif 000018
【図１７】
0005992914.tif 000019
【図１８】
0005992914.tif 000020
【図１９】
0005992914.tif 000021
【図２０】
0005992914.tif 000022